(57)【特許請求の範囲】
【請求項１】
発光素子と、
前記発光素子の前方に配置された反射部材と、を有し、
前記反射部材は、
前方に向かって凹んだ凹反射面からなる第１反射面を備え、
前記第１反射面は、
前記発光素子の近傍に位置する第１の焦点と、
前記発光素子の光軸上かつ、前記反射部材と前記第１の焦点の間に位置する第２の焦点と、を有し、
前記発光素子からの出射光は、前記第１反射面で反射され一旦前記第２の焦点の位置に収束した後に、後方へと発散しながら進み、
前記反射部材は、さらに、
前記光軸と前記反射部材との交点を頂点として前記発光素子側に拡径した略円錐面形状にて構成された第２反射面を備え、
前記第２反射面は、前記第１反射面よりも前記頂点側に形成されているとともに、前記第１反射面よりも後方側に突出した凸反射面となっていることを特徴とする照明装置。
【請求項２】
前記反射部材は、
前記発光素子の照射方向に向かって前記光軸から離れる方向に直線状に傾斜した略逆円錐面形状を呈する第３反射面を備え、
前記第３反射面は、前記第１反射面よりも前記反射部材の外径側に形成されていることを特徴とする請求項１に記載の照明装置。
【請求項３】
前記発光素子の側方及び斜め側方を覆うようにシェードが設けられていることを特徴とする請求項２に記載の照明装置。
【請求項４】
前記第1反射面は前記発光素子から出射される全光束のうち約３０％の光束が出射される立体角に対応する領域に形成され、前記第２反射面は前記発光素子から出射される全光束のうち約１０％の光束が出射される立体角に対応する領域に形成され、前記第３反射面は前記発光素子から出射される全光束のうち約２０％の光束が出射される立体角に対応する領域に形成されることを特徴とする請求項２又は請求項３に記載の照明装置。
【発明の詳細な説明】
【技術分野】
【０００１】
本発明は、照明装置に関するものであり、詳しくは、従来のコイル状フィラメントを発光源とする電球と近似した配光特性を有することにより該電球と置き換えが可能な、ＬＥＤ素子を発光源とする照明装置に関する。
【背景技術】
【０００２】
従来、この種の照明装置としては、例えば、特許文献１に「電球形ランプ」として図８に示す構造のものが開示されている。
【０００３】
それは、ヒートパイプ８０の一端部の先端に多面体形の支持体８１が取り付けられ、支持体８１の表面（周面の６面及び上面の１面）に放熱シートを介して発光モジュール８３が取り付けられている。発光モジュール８３は、基板８４と基板８４に実装された半導体発光素子（ＬＥＤ素子）８５を備えている。そして、光拡散性を有するドーム状のグローブ８６が、支持体８１及び発光モジュール８３からなる発光体８７を覆うように形成されている。このような構造の電球形ランプ８８は、白熱電球に近い配光特性を得ることができる、とされている。
【０００４】
また、特許文献２には、図９（ａ）に示す光学系を備えた「ＬＥＤバルブ」として開示されている。
【０００５】
それは、ＬＥＤ発光体素子９０の光照射方向前方に反射部材９１を配設した構成からなり、反射部材９１はＬＥＤ発光体素子９０の発光面９２に対向する反射面９５を備えており、該反射面９５は頂部９３をＬＥＤ発光体素子９０の発光面９２側に向けると共に側面を中心軸９６側に凹状に湾曲した湾曲面とする湾曲円錐状反射面９４からなっている。
【０００６】
これにより、ＬＥＤ発光体素子９０からの出射光は、反射部材９１の湾曲円錐状反射面９４によって光照射方向の側方及び斜め後方に向けて放射状に反射される。このとき湾曲円錐状反射面９４は反射光を出射光とする疑似光源（Ｅ）を形成し、疑似光源（Ｅ）の出射光（湾曲円錐状反射面９４の反射光（Ｆ））は、フィラメントを有するハロゲンバルブを光源としたときの光の出射方向と略同一となり、且つ疑似光源（Ｅ）の形成位置及び発光領域の大きさはハロゲンバルブの配置位置及び大きさと略同一とすることが可能である、とされている。
【先行技術文献】
【特許文献】
【０００７】
【特許文献１】特開２０１１−１４６２５３号公報
【特許文献２】特許第４６８９７６２号公報
【発明の概要】
【発明が解決しようとする課題】
【０００８】
ところで、上記特許文献１で開示された電球形ランプ８８は、光学系において点光源とみなすことができるＬＥＤ素子８５が支持体８１に対して点在して配置されている。そのため、１点を焦点とする光学系においては、焦点位置にある１つのＬＥＤ素子以外のいずれのＬＥＤ素子もその出射光を配光制御することはできない。
【０００９】
一方、上記特許文献２のＬＥＤバルブは、疑似光源（Ｅ）からの出射光、つまり湾曲円錐状反射面９４による反射光（Ｄ）が図９（ｂ）に示すように、湾曲円錐状反射面９４を投影して内側に凹んだ一対の脚を有する湾曲台形状の配光パターン９７を形成する。そのため、疑似光源（Ｅ）からの出射光は、一定の径でコイル状に巻回されたフィラメントからの出射光とは異なる配光パターンを形成する。
【００１０】
換言すると、疑似光源（Ｅ）は配光特性に関しては、巻径を徐々に変えて湾曲円錐状に巻回したコイル状のフィラメント（Ｆ）からなる光源に相当するものである。そのため、疑似光源（Ｅ）を灯具内に配設した場合、疑似光源（Ｅ）からの出射光のうち疑似光源（Ｅ）の、フィラメントの大径で巻回された部分に対応する位置からの出射光は、灯具の配光制御系によって広がる方向に配光制御され、フィラメントの小径で巻回された部分に対応する位置からの出射光は、集光する方向に配光制御される。
【００１１】
その結果、疑似光源（Ｅ）を配設した灯具は、一定の径でコイル状に巻回されたフィラメントからなる発光源を配設した本来の灯具による配光特性と同等な配光特性を得ることは難しい。
【００１２】
また、疑似光源（Ｅ）となる湾曲円錐状反射面９５を備えた反射部材９１は、該反射部材９１を支持する支柱が必要であり、該支柱は灯具内の限られたスペースにおいては反射部材９１の近傍に配置する必要があり、そのため、疑似光源（Ｅ）からの出射光を遮って影を形成する要因となる。
【００１３】
そこで、本発明は上記問題に鑑みて創案なされたもので、その目的とするところは、従来のコイル状フィラメントを発光源とする電球と近似した配光特性を有することにより該電球と置き換えが可能な、ＬＥＤ素子を発光源とする照明装置を提供することにある。
【課題を解決するための手段】
【００１４】
上記課題を解決するために、本発明の請求項１に記載された発明は、発光素子と、前記発光素子の前方に配置された反射部材と、を有し、前記反射部材は、前方に向かって凹んだ凹反射面からなる第１反射面を備え、前記第１反射面は、前記発光素子の近傍に位置する第１の焦点と、前記発光素子の光軸上かつ、前記反射部材と前記第１の焦点の間に位置する第２の焦点と、を有し、前記発光素子からの出射光は、前記第１反射面で反射され一旦前記第２の焦点の位置に収束した後に、後方へと発散しながら進み、前記反射部材は、さらに、前記光軸と前記反射部材との交点を頂点として前記発光素子側に拡径した略円錐面形状にて構成された第２反射面を備え、前記第２反射面は、前記第１反射面よりも前記頂点側に形成されているとともに、前記第１反射面よりも後方側に突出した凸反射面となっていることを特徴とするものである。
【００１５】
また、本発明の請求項２に記載された発明は、請求項１において、前記反射部材は、前記発光素子の照射方向に向かって前記光軸から離れる方向に直線状に傾斜した略逆円錐面形状を呈する第３反射面を備え、前記第３反射面は、前記第１反射面よりも前記反射部材の外径側に形成されていることを特徴とするものである。
【００１６】
また、本発明の請求項３に記載された発明は、請求項２において、前記発光素子の側方及び斜め側方を覆うようにシェードが設けられていることを特徴とするものである。
【００１７】
また、本発明の請求項４に記載された発明は、請求項２又は請求項３において、前記第1反射面は前記発光素子から出射される全光束のうち約３０％の光束が出射される立体角に対応する領域に形成され、前記第２反射面は前記発光素子から出射される全光束のうち約１０％の光束が出射される立体角に対応する領域に形成され、前記第３反射面は前記発光素子から出射される全光束のうち約２０％の光束が出射される立体角に対応する領域に形成されることを特徴とするものである。
【発明の効果】
【００１９】
本発明の照明装置によれば、第２の焦点位置に第２の疑似点光源が形成されると共に第２反射面で第１の疑似点光源が形成され、従来の電球用フィラメントが包含する位置に第２の疑似点光源のみ、又は、第１の疑似点光源及び第２の疑似点光源の２つの疑似光源が位置するように設定することにより、ＬＥＤからの出射光があたかも第１の疑似点光源及び第２の疑似点光源の夫々から出射されたかのような光として光路形成が行われ、フィラメント６０の、第２の疑似点光源、又は、第１の疑似点光源及び第２の疑似点光源の２つの疑似点光源に対応する位置から出射された光と同様の光路を辿る。
【００２０】
そのため、照明装置１からの出射光は、第２の疑似点光源、又は、第１の疑似点光源及び第２の疑似点光源の２つの疑似点光源が包含される長さの従来の電球用フィラメント６０と同等の配光特性を有することができる。したがって、第２の疑似点光源、又は、第１の疑似点光源及び第２の疑似点光源の２つの疑似点光源に対応した長さのフィラメントを用いた電球と置き換えることが可能となる。
【図面の簡単な説明】
【００２１】
【図１】本発明の照明装置に係る実施形態の斜視図である。
【図２】図１の横断面図である。
【図３】横断面図の部分拡大図である。
【図４】第２反射面の拡大図である。
【図５】光線追跡図である。
【図６】灯具の斜視図である。
【図７】図６のＸ−Ｘ方向の光線追跡図である。
【図８】従来例の説明図である。
【図９】従来例の説明図である。
【発明を実施するための形態】
【００２２】
以下、この発明の好適な実施形態を図１〜図７を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２３】
図１は、本発明の照明装置に係る実施形態を前方斜め上方から見た斜視図、図２は図１の横断面図である。
【００２４】
照明装置１は、光源のＬＥＤ２、ＬＥＤ２からの出射光の光路を制御する光路制御用カバー１０及びＬＥＤ２からの発熱を放熱する放熱機能を有する本体部３０で構成されている。
【００２５】
本体部３０は、複数の放熱フィン３１を有するヒートシンク部３２とヒートシンク部３２の中央部から立ち上がって一方向に延びる支柱部３３を有しており、ヒートシンク部３２及び支柱部３３には、中心部を支柱部３３の延長方向に沿って貫通する貫通孔３４が設けられている。この貫通孔３４は、ＬＥＤ２に電力を供給する給電部材（例えば、給電線）の配線路となる。
【００２６】
光路制御用カバー１０は、透明部材からなり、一端部の円環状開口縁１０ａから該円環状開口縁１０ａに沿って立ち上がって外側に開くように環状に延びる側壁部１１と、同様に一端部の円環状開口縁１０ａから該円環状開口縁１０ａに沿って立ち上がって側壁部１１の内側を且つ側壁部１１よりも短く環状に延びるシェード１２と、同様に一端部の円環状開口縁１０ａから該円環状開口縁１０ａに沿って立ち上がって側壁部１１及びシェード１２の延長方向と反対側に円筒状に延びる外嵌部１３と、側壁部１１の他端部の円環状開口部１０ｂに該開口部１０ｂを塞ぐように装着された光路制御部材２０を有している。
【００２７】
支柱部３３の円筒状の先端部３３ａには、光路制御用カバー１０の外嵌部１３が外嵌されて該光路制御用カバー１０が保持されており、貫通孔３４の先端部には、ＬＥＤ２が実装されたＬＥＤ実装基板５を支持する金属製の基板支持部材６が挿嵌されている。
【００２８】
ＬＥＤ実装基板５に実装されたＬＥＤ２は、ＬＥＤ素子３が、透明樹脂に蛍光体が分散されてなる蛍光体樹脂４で球面状あるいは非球面状に樹脂封止されており、光路制御用カバー１０の一端部側の開口を挿通して側方及び斜め側方がシェード１２で囲まれる位置に位置している。ＬＥＤ２の光照射方向前方に光路制御用カバー１０に装着された光路制御部材２０が位置している。
【００２９】
次に、ＬＥＤ２からの出射光とシェード１２及び光路制御部材２０との光学的な関係を図３（横断面図の部分拡大図）を参照して説明する。
【００３０】
ＬＥＤ２は、出射光がランバーシアン分布の指向特性を有し、ＬＥＤ２の側方及び斜め側方を囲むシェード１２の遮光によって出射光の全光束のうち約６０％の光束が直接光路制御部材２０に照射されるように設定されている。
【００３１】
シェード１２のＬＥＤ２側を向く面（内面）は鏡面反射面１２ａからなり、ＬＥＤ２の側面を該側面に沿って囲む環状の湾曲面状反射面（湾曲反射面）１２ｂと湾曲反射面１２ｂの円環状上端から立ち上がって略円柱状に延びる円柱反射面１２ｃを有している。
【００３２】
ＬＥＤ２から出射される全光束のうち約６０％の光束が直接照射される光路制御部材２０は、その被照射面となる内面が例えばアルミニウム蒸着膜からなる金属鏡面反射面（以下、「鏡面反射面」と略称する）２１からなり、鏡面反射面２１は、ＬＥＤ２の光軸Ｚとの交点を含む円形状の近傍領域に形成された第２鏡面反射面（以下、「第２反射面」と略称する）２２、第２反射面２２の外側に該第２反射面２２を囲むように位置する環状（リング状）の領域に形成された第１鏡面反射面（以下、「第１反射面」と略称する）２３、及び第１反射面２３の外側に該第１反射面２３を囲むように最外側に位置する環状（リング状）の領域に形成された第３鏡面反射面（以下、「第３反射面」と略称する）２４の３つの鏡面反射面を備えている。
【００３３】
そのうち、第２反射面２２は、ＬＥＤ２から出射される全光束のうち約１０％の光束が照射される領域、言い換えると、ＬＥＤ２から出射される全光束のうち約１０％の光束が出射される立体角に対応する領域に形成され、図４（第２反射面の拡大図）にあるように、光軸Ｚとの交点Ｐを頂点としＬＥＤ２の照射方向（外側）に向かって凹んで内側に膨らんだ略円錐面形状を呈している。この第２反射面２２の領域は、光軸Ｚとの交点Ｐを含む近傍領域であると共にＬＥＤ２から出射される全光束のうち約１０％の光束が照射される領域であり、またＬＥＤ２の指向特性がランバーシアン分布を有することから、他の第１反射面２３の領域及び第３反射面２４の領域よりも極めて小さい。そのため、略円錐面形状の第２反射面２２は極小凸反射面で構成されていると言える。
【００３４】
図３に戻って、第２反射面２２の外側に位置する第１反射面２３は、ＬＥＤ２から出射される全光束のうち約３０％の光束が照射される領域、言い換えると、ＬＥＤ２から出射される全光束のうち約３０％の光束が出射される立体角に対応する領域に形成され、ＬＥＤ２内のＬＥＤ素子３の位置を第１焦点Ｆ１の位置とすると共に光軸Ｚ上の、第１焦点Ｆ１と光軸Ｚが鏡面反射面２１と交差する交点との間の適宜な位置を第２焦点Ｆ２の位置とする、外側に向かって凹んだ凹面形状を呈する凹反射面で構成されている。
【００３５】
第１反射面２３の外側の最外側に位置する第３反射面２４は、ＬＥＤ２から出射される全光束のうち約２０％の光束が照射される領域、言い換えると、ＬＥＤ２から出射される全光束のうち約２０％の光束が出射される立体角に対応する領域に形成され、ＬＥＤ２の照射方向に向かって光軸Ｚから離れる方向に直線状に傾斜した逆円錐面形状を呈する逆円錐反射面で構成されている。
【００３６】
そこで、図５の光線追跡図より、ＬＥＤ素子３の発光時（点灯時）にＬＥＤ２から出射した全光束のうち光路制御用カバー１０の第２反射面２２に向かう１０％の光束を有する光Ｌ１は、第２反射面２２の極小凸反射面で反射されて反射光が側壁部１１を透過して斜め後方（後方とは、ＬＥＤ２の照射方向と反対方向）に向かい、本体部３０（特に、本体部３０の支柱部３３）に遮蔽されることなくそのまま直進する。したがって、第２反射面２２の極小凸反射面は、該極小凸反射面で反射された反射光が本体部３０で遮蔽されないような位置及び形状に設定されている。
【００３７】
この場合、点光源のＬＥＤ素子３から発せられてＬＥＤ２から出射した光が照射される第２反射面２２は上述したように極小凸反射面で構成されている。そのため、第２反射面２２による反射光はあたかも第２反射面２２の位置に配置した光源（第１の疑似点光源７）から出射した光であるかのように光学的に取り扱うことができる。
【００３８】
また、ＬＥＤ素子３が第１焦点Ｆ１の位置にあるＬＥＤ２から出射した全光束のうち光路制御用カバー１０の第１反射面２３に向かう３０％の光束を有する光Ｌ２は、第１反射面２３の凹反射面で反射されて反射光が一旦第２焦点Ｆ２の位置に収束した後に発散しながら側壁部１１を透過して斜め後方から側方の範囲に向かい、本体部３０（特に、本体部３０の支柱部３３）に遮蔽されることなくそのまま直進する。したがって、第１反射面２３の凹反射面は、該凹反射面で反射された反射光が本体部３０で遮蔽されないような位置及び形状に設定されている。
【００３９】
この場合、第２焦点Ｆ２で収束した後の発散光はあたかも第２焦点Ｆ２の位置に配置した光源（第２の疑似点光源８）から出射した光であるかのように光学的に取り扱うことができる。
【００４０】
さらに、ＬＥＤ２から出射した全光束のうち光路制御用カバー１０の第３反射面２４に向かう２０％の光束を有する光Ｌ３は、第３反射面２４の逆円錐反射面で反射されて反射光が側壁部１１を透過して側方から斜め前方の範囲に向かい、そのまま直進する。
【００４１】
ところで、従来の電球用フィラメント６０が包含する位置に第１の疑似点光源７及び第２の疑似点光源８が位置するように設定すると、点光源のＬＥＤ素子３から発せられてＬＥＤ２から出射してあたかも第１の疑似点光源７及び第２の疑似点光源８の夫々から出射されたかのような光Ｌ１、Ｌ２は、フィラメント６０の、第１の疑似点光源７及び第２の疑似点光源８の夫々に対応する位置から出射された光と同様の光路を辿る。
【００４２】
そのため、照明装置１からの出射光は、第１の疑似点光源７及び第２の疑似点光源８が包含される長さの従来の電球用フィラメント６０と同等の配光特性を有することができる。したがって、第１の疑似点光源７と第２の疑似点光源８の間の距離を適宜設定することにより、第１の疑似点光源７と第２の疑似点光源８の間の距離に対応した長さのフィラメントを用いた電球と置き換えることが可能となる。
【００４３】
なお、従来の電球用フィラメント６０が包含する位置に第２の疑似点光源８のみが位置するように設定した場合、つまり第1反射面２３による反射光を用いた場合においても、点光源のＬＥＤ素子３から発せられてＬＥＤ２から出射してあたかも第２の疑似点光源８から出射されたかのような光Ｌ２は、フィラメント６０の、第２の疑似点光源８に対応する位置から出射された光と同様の光路を辿る。したがって、この場合でもフィラメントを用いた電球と置き換えが可能である。
【００４４】
ところで、ＬＥＤ素子３は発光と同時に発熱を生じる。この場合、ＬＥＤ２は該ＬＥＤ２が実装されたＬＥＤ実装基板５が、本体部３０の貫通孔３４に挿嵌された基板支持部材６に支持されている。そのため、ＬＥＤ素子３の発熱は、ＬＥＤ実装基板６を経て順次熱伝導性が良好な基板支持部材６、本体部３０の支柱部３３及びヒートシンク部３２に伝導され、ヒートシンク部３２の放熱フィン３１を介して効率的に外部に放散される（図２参照）。
【００４５】
これにより、ＬＥＤ素子３の発光時の自己発熱が効率良く放熱されてＬＥＤ素子３自体の温度上昇が抑制され、温度上昇に起因するＬＥＤ素子３の発光効率の低減による発光光量の減少が抑えられると共に、同様にＬＥＤ素子３の温度上昇に起因するＬＥＤ素子３の素子劣化による発光寿命の短縮を抑制することができ、その結果、照明装置１において高い信頼性及び適切な照射光量を確保することができる。
【００４６】
次に、上述した照明装置１を光源に用いた灯具５０について光学的に説明する。
【００４７】
灯具５０（図６（灯具を前方斜め上方から見た斜視図）参照）は、ハウジング５３の後方から該ハウジング５３内に、照明装置１の支柱部３３の先端部３３ａ及び先端部３３ａに保持された光路制御用カバー１０が収容され、照明装置１のヒートシンク部５３がハウジング５３外に配置されている。
【００４８】
また、ハウジング５３内には、灯具５０の一方向（図６のＸ−Ｘ方向）に対して光路制御用カバー１０を斜め後方から側方を経て斜め前方まで囲む複数の反射面５１ａを備え、灯具５０の一方向に垂直な方向（図６のＹ−Ｙ方向）に対して光路制御用カバー１０を斜め後方から側方まで囲む複数の反射面５１ａを備えた、マルチリフレクタ５２に形成された複合反射面５１を有している。
【００４９】
そこで（図７（図６のＸ−Ｘ方向の光線追跡図）参照））、照明装置１のＬＥＤ２から光路制御用カバー１０の第２反射面２２に向けて出射して該第２反射面２２で反射されて側壁部１１を透過して斜め後方に向う光Ｌ１は、マルチリフレクタ５２の複合反射面５１を構成する個々の反射面５１ａ（符号Ｍで示す領域）で反射されてＬＥＤ２の光軸Ｚを中心とする近傍領域に向けて照射される。
【００５０】
また、ＬＥＤ２から第１反射面２３に向けて出射して該第１反射面２３で反射されて一旦第２焦点Ｆ２の位置に収束した後に発散しながら側壁部１１を透過して斜め後方から側方の範囲に向かう光Ｌ２は、マルチリフレクタ５２の複合反射面５１を構成する個々の反射面５１ａ（符号Ｍで示す領域）で反射されてＬＥＤ２の光軸Ｚを中心とする近傍領域に向けて照射される。
【００５１】
さらに、ＬＥＤ２から第３反射面２４に向けて出射して該第３反射面２４で反射されて側壁部１１を透過して側方から斜め前方の範囲に向かう光Ｌ３は、マルチリフレクタ５２の複合反射面５１を構成する個々の反射面５１ａで反射されてＬＥＤ２の光軸Ｚに対して広がり方向の領域に向けて照射される。
【００５２】
このように、ＬＥＤ２から出射してマルチリフレクタ５２の複合反射面５１に向かう光Ｌ１〜Ｌ３のうち、第１の疑似点光源７（図６参照）から出射したものと見なすことができる光Ｌ１及び第２の疑似点光源８（図６参照）から出射したものと見なすことができる光Ｌ２はいずれも照射方向に規則性を有するため、複合反射面５１を構成する個々の反射面５１ａの形状を単純化することでき、複合反射面５１の光学設計に係る設計工数の低減、及び金型設計・製造に係る工数の低減を図ることができる。また、作製された複合反射面５１によって光学設計に沿った光学特性を忠実に再現することができる。
【００５３】
なお、上記照明装置１及び光学設計に沿った光学特性を再現できる複合反射面５１を有するマルチリフレクタ５２による構成を車両用灯具に採用した場合、灯具前方に出射された光Ｌ１、Ｌ２によって主配光が形成され、光Ｌ３によって路肩側を照らす照明が形成されるため、配向性能に優れた商品性の高い車両用灯具が実現できる。
【００５４】
ところで、上述したように、ＬＥＤ２から出射される光のうち側方あるいは斜め側方に向かう光はシェード１２で遮蔽されて全光束のうち４０％の光束が照射光として寄与しないものとなっている。これは、ＬＥＤ素子３の光出射面から出射して前方（光軸Ｚ方向）あるいは斜め前方に向かう光よりも側方あるいは斜め側方に向かう光のほうが蛍光体樹脂４内を進む距離が長くなるため、ＬＥＤ素子３からの出射光に対する蛍光体による波長変換光の比率が高くなって色相の異なる光が出射され、照明装置１からは色むらのある光が照射されることになるからである。
【００５５】
具体的には、例えば、ＬＥＤ素子３が青色光を発光する青色発光素子で、蛍光体樹脂４内に分散された蛍光体が青色光に励起されて青色光の補色となる黄色光に波長変換する蛍光体（黄色蛍光体）の場合、ＬＥＤ２の前方あるいは斜め前方に出射される光に対して側方あるいは斜め側方に出射される光は黄色みがかった光になる。
【００５６】
なお、光路制御用カバー１０の側壁部１１は、照明装置１の光路制御には関係しない部分であり、ＬＥＤ２の前方の該ＬＥＤ２に対向する位置に鏡面反射面２１が位置するように光路制御部材２０を支持するために設けられたものである。したがって、光路形成に影響を及ぼさないでＬＥＤ２と鏡面反射面２１との位置関係が保持できる保持手段が用いられるのであれば、側壁部１１は必ずしも必要ではない。
【００５７】
また、光路制御部材２０に形成される鏡面反射面２１は、必ずしも、後加工によるアルミニウム蒸着膜からなる金属鏡面反射面とする必要はなく、例えば、光路制御部材２０自体を金属材料で形成して表面研磨によって鏡面反射面を形成することも可能である。
【符号の説明】
【００５８】
１…  照明装置
２…  ＬＥＤ
３…  ＬＥＤ素子
４…  蛍光体樹脂
５…  ＬＥＤ実装基板
６…  基板支持部材
７…  第１の疑似点光源
８…  第２の疑似点光源
１０…  光路制御用カバー
１０ａ…  円環状開口縁
１０ｂ…  円環状開口部
１１…  側壁部
１２…  シェード
１２ａ…  鏡面反射面
１２ｂ…  湾曲反射面
１２ｃ…  円柱反射面
１３…  外嵌部
２０…  光路制御部材
２１…  金属鏡面反射面（鏡面反射面）
２２…  第２鏡面反射面（第２反射面）
２３…  第１鏡面反射面（第１反射面）
２４…  第３鏡面反射面（第３反射面）
３０…  本体部
３１…  放熱フィン
３２…  ヒートシンク部
３３…  支柱部
３３ａ…  先端部
３４…  貫通孔
５０…  灯具
５１…  複合反射面
５１ａ…  反射面
５２…  マルチリフレクタ
５３…  ハウジング
６０…  フィラメント
【図１】
0006461569.tif 000002
【図２】
0006461569.tif 000003
【図３】
0006461569.tif 000004
【図４】
0006461569.tif 000005
【図５】
0006461569.tif 000006
【図６】
0006461569.tif 000007
【図７】
0006461569.tif 000008
【図８】
0006461569.tif 000009
【図９】
0006461569.tif 000010